(57)【要約】【課題】  老人が居る場所を把握できるとともに、夜間などには自動車の運転者等に遠くから存在を知らしめて、交通事故等に対する老人の安全を図ることを可能とした老人用メガネである。【解決手段】  老人用メガネ１は、メガネフレーム１のテンプル４の一方に親器と直接または中継機を介して無線通信して親器の表示部に老人が居る場所の地図を表示させる探査用子器５を設け、両方のテンプル４または耳当て部６に点滅灯７を設けた。【選択図】  図３
2008304703.tif 000002
【特許請求の範囲】
【請求項１】
老人がかけるメガネであって、メガネフレームの一方のテンプルに親器と直接または中継機を介して無線通信して該親器の表示部に前記老人が居る場所の地図を表示させる探査用子器を設けたことを特徴とする老人用メガネ。
【請求項２】
前記メガネフレームの両方のテンプルまたは耳当て部に点滅灯を設けるとともに、前記テンプルまたは耳当て部に前記点滅灯のメガネ前部への光を遮断する遮光板を設けたことを特徴とする請求項１に記載の老人用メガネ。
【請求項３】
前記点滅灯を夜間になると自動的に点滅させる自動点灯スイッチを設けた請求項２の老人用メガネ。
【発明の詳細な説明】
【技術分野】
【０００１】
本発明は、老人がかけることにより、家人が老人の居る場所を把握できるとともに、夜間などには自動車の運転者等に遠くから存在を知らしめて、交通事故等に対する老人の安全を図ることを可能とした老人用メガネに関する。
【背景技術】
【０００２】
近年、高齢社会に伴い、老人が外に出かけることが多くなっているが、視力や運動能力が低下したり、周囲に対する注意力が低下する性質上、交通事故や犯罪に巻き込まれる怖れが多く、家の者は老人が家に帰ってくるまで心配しなければならない。
【０００３】
特に老人が夜間外出したときにはその心配は大である。また痴呆等に伴う徘徊癖のある老人などの場合には、昼間であっても安心できず、老人が中々家に帰ってこない場合には、家人は広範囲な箇所を捜索しなければならなくなり、身柄を安全に保護するのに困難を極める。
【０００４】
なお、従来、徘徊者にＧＰＳ付携帯電話を持たせ、パソコンを持つ保護者がプロバイダを介して通信衛星によるナビゲ−ションシステムに要求することにより、ＧＰＳ付携帯電話のある位置を検索して、保護者のパソコンのモニター上にＧＰＳ付携帯電話の存在位置の地図を表示できるようにした徘徊者位置捜索システムが知られている（例えば特許文献１を参照）。
【０００５】
しかし、携帯電話では老人が落として紛失する恐れがあり、また交通事故等に対する老人の安全を図ることもできない。
【特許文献１】特開平１１−６４４８２号公報
【発明の開示】
【発明が解決しようとする課題】
【０００６】
このようなことから、老人に適用するのに好適なメガネであって、老人がメガネをかけて出かけることにより、家人が老人が居る場所を把握できるとともに、夜間などには自動車の運転者等に遠くから存在を知らしめて、交通事故等に対する老人の安全を図ることを可能とした特性を有する老人用メガネが望まれている。
本発明の課題は、上記特性を具備した老人用メガネを提供することである。
【課題を解決するための手段】
【０００７】
上記課題を解決するために、本発明は、老人がかけるメガネであって、メガネフレームの一方のテンプルに親器と直接または中継機を介して無線通信して該親器の表示部に前記老人が居る場所の地図を表示させる探査用子器を設けたことを特徴とする。
【０００８】
本発明によれば、前記メガネフレームの両方のテンプルまたは耳当て部に点滅灯を設けるとともに、前記テンプルまたは耳当て部に前記点滅灯のメガネ前部への光を遮断する遮光板を設けることができる。前記点滅灯を夜間になると自動的に点滅させる自動点灯スイッチを設けることができる。
【０００９】
本発明の老人用メガネによれば、メガネフレームのテンプルに探査用子器を設けて、親器と無線通信して親器の表示部に老人が居る場所の地図を表示させるようにしたので、家人が家に居ながら必要なとき老人が居る場所を探査して把握することができる。したがって、老人が夜間外出したときにも安心であり、また痴呆等に伴う徘徊癖のある老人が、家に中々帰ってこない場合でも、家人は老人が居る場所に容易に捜索に行って、身柄を安全に保護することができる。またテンプルまたは耳当て部に点滅灯を設けたので、夜間、老人がメガネをかけて歩くと、自動車の運転者等が点滅灯の点滅を見て遠くから人の存在を知ることができ、人に注意して運転等を行うことを促すことができるので、交通事故等に対する老人の安全を図ることができる。その際、前記テンプルまたは耳当て部に設けた遮光板でメガネ前部方への光を遮断するので、メガネをかけていても点滅灯の点滅に煩わされることがない。
【発明の効果】
【００１０】
本発明の老人用メガネによれば、探査用子器と親器との無線通信で親器の表示部に老人が居る場所の地図を表示させることにより、家人が家に居ながら老人が居る場所を探査して把握でき、家に中々帰ってこない場合でも容易に捜索に行くことができる。また点滅灯を点滅することにより、夜間、老人に交通事故等に対する安全を図ることができる。
【発明を実施するための最良の形態】
【００１１】
以下、図面を参照して本発明の実施形態を詳述する。図１は本発明の老人用メガネの一実施形態を示す斜視図である。本実施形態の老人用メガネ１は、１対のレンズ２を保持したリム３の両端部に開閉自在に取り付けられた１対のテンプル（つる）４の一方の外面に探査用子器５を設けてなっている。レンズ２は、メガネ１をかける老人が普段老眼鏡をかけているのであれば、その老眼鏡と同じ度数のレンズを使用することができる。メガネ１をかける老人が普段何らのメガネを必要としてないのであれば、度のないガラスレンズを使用する。
【００１２】
探査用子器５は、図２に示すように、老人の家人の家にある親器１１とともに探査機を構成し、親器１１と直接に無線通信または空中の通信衛星１２或いは通信用地上局を中継機として間接的に無線通信する。そして親器１１にＧＰＳ等の位置探査システムによりメガネ１をかけた老人１０が居る場所を探査させて、親器１１のディスプレイ画面１３に老人１０が居る場所の地図を表示させるものである。ディスプレイ画面１３に表示された地図には、老人の居る位置を例えば×印等の適当な位置マーク１４で表示し、その位置マーク１４は点滅させてもよい。子器５は専用電源を設けてもよいが、親器１１からの呼び出
しの通信電波からエネルギーを子器５が確保して起動する無電源方式のものがよい。
【００１３】
この場所探査機の子器５を備えたメガネ１を老人がかけて外に出かけることにより、家人が家に居ながら必要なとき老人が居る場所を探査して把握することができ、老人が夜間外出したときにも安心である。また痴呆等に伴う徘徊癖のある老人が、家に中々帰ってこない場合でも、家人は老人が居る場所を把握して直ちに捜索に行け、広範囲な箇所を捜索することなく身柄を保護することができる。
【００１４】
本発明の他の実施形態について説明する。図３は、本発明の他の実施形態の老人用メガネを示す図である。本実施形態では、メガネ１の両方の耳当て部（先セル）６のテンプル４に近い部分の外面に点滅灯７を設け、耳当て部６の点滅灯７の前側の位置に点滅灯７のメガネ１の前部への光を遮断する遮光板８を設けた。本実施形態のその他の構成は、図１、２を参照して説明した第１の実施形態と同様である。
【００１５】
上記の点滅灯７はＬＥＤ等の低電力消費の発光素子からなり、耳当て部６の外面にボタン電池を収容した電源部７ａを介して取り付ける。メガネフレーム３の適当な位置には図示しない自動点灯スイッチを設けて、その光センサで外の明るさを検知することにより、夜間になると点滅灯７が自動的に点滅するようにしてある。なお、点滅灯７はテンプル４の耳当て部６に近い位置に設けてもよい。
【００１６】
遮光板８はメガネ１をかけた老人が点滅灯７の点滅がわずらわしいのを防ぐことができる範囲で点滅灯７の斜め前方を覆えばよく、遮光板８を例えばメガネ前方へ向けて約３０°の傾斜で設けることができる。
【００１７】
本実施形態によれば、老人がメガネ１をかけて外出することにより、第１の実施形態のときと同様、家人が家に居ながら必要なとき老人が居る場所を探査して把握することができることに加えて、夜間、自動車の運転者が点滅灯７の点滅を見て遠くから人の存在を知ることができ、人に注意して運転することを促すことができるので、老人に交通事故に対する安全が図られる効果もある。
【図面の簡単な説明】
【００１８】
【図１】本発明の老人用メガネの一実施形態を示す斜視図である。
【図２】図１のメガネのテンプルに設けられた探査用子器と親器との通信により親器の表示部に老人の居る場所の地図を表示するところを示す説明図である。
【図３】本発明の老人用メガネの他の実施形態を示す図で、メガネの上面図（ａ）およびそのＡ−Ａ矢視図（ｂ）である。
【符号の説明】
【００１９】
１  老人用メガネ
４    テンプル
５    探査用子器
６    先セル
７    点滅灯
８    遮光板
１０  老人
１１  親器
１２  通信衛星
１３  表示部
１４  位置マーク
【図１】
2008304703.tif 000003
【図２】
2008304703.tif 000004
【図３】
2008304703.tif 000005